(57)【要約】      （修正有）【課題】メガネを置いた際にメガネを安定して保持するメガネスタンド及びカレンダーを提供する。【解決手段】メガネスタンドは、組み立てられた状態において、前方にレンズが位置するようにメガネ１を保持する。メガネスタンドは、組み立てられた際に前方に位置する前面台紙１０と、後方に位置する背面台紙２０と、前面台紙の前面に配置される図柄用紙５０を備える。前面台紙及び背面台紙はそれぞれ、各台紙の幅方向に離間し高さ方向に同じ高さで配置された２つの切欠部と、切欠部下方の切欠部と連続した位置に、折り曲げることで切欠部の高さ方向の長さを調節する複数の調節片からなる調節部とを有する。図柄用紙は、前面台紙の切欠部のそれぞれに対応する位置に２つの切欠部を有し、複数の図柄用紙は、保持部４１によりその配置順序が変化可能である。【選択図】図１
0003197669.tif 000002
【実用新案登録請求の範囲】
【請求項１】
組み立てられた状態において、奥行き方向の前方にレンズが位置するようにメガネを保持するメガネスタンドであって、
組み立てられた際に奥行き方向の前方に位置する第１の台紙と、
組み立てられた際に奥行き方向の後方に位置する第２の台紙と、
を備え、
前記第１及び第２の台紙はそれぞれ、
各台紙の幅方向に離間し、高さ方向に同じ高さで配置された２つの切欠部と、
前記切欠部の下方に該切欠部と連続した位置に、折り曲げること又は切り取ることで前記切欠部の高さ方向の長さを調節する調節部と
を備えるメガネスタンド。
【請求項２】
前記第１の台紙の前面に配置される図柄用紙をさらに備え、
該図柄用紙は、前記第１の台紙の前記切欠部のそれぞれに対応する位置に２つの第２の切欠部を有する請求項１に記載のメガネスタンド。
【請求項３】
前記図柄用紙を複数枚備え、
複数枚の前記図柄用紙の配置順序を変化可能に、複数枚の前記図柄用紙を前記第１の台紙に設置する保持部
をさらに備える請求項２に記載のメガネスタンド。
【請求項４】
前記保持部は、少なくとも前記第１の台紙と複数枚の前記図柄用紙を貫通するリングである請求項３に記載のメガネスタンド。
【請求項５】
前記保持部は、前記第１の台紙の下部前方に配置され、複数枚の前記図柄用紙の下辺を支えるストッパである請求項３に記載のメガネスタンド。
【請求項６】
前記図柄用紙は、顔が印刷され、
前記図柄用紙の各第２の切欠部の間に目が配置されている請求項２乃至５のいずれかに記載のメガネスタンド。
【請求項７】
複数枚の前記図柄用紙は、顔が印刷され、
各図柄用紙の各第２の切欠部の間に目が配置され
複数枚の前記図柄用紙における目の位置は、各図柄用紙で対応した位置にある請求項３乃至５のいずれかに記載のメガネスタンド。
【請求項８】
前記図柄用紙は、各第２の切欠部よりも幅方向外側に、顔、髪、からだ又はこれらに装着される装飾品が印刷される請求項２乃至７のいずれかに記載のメガネスタンド。
【請求項９】
組み立てられた際に、前記第１の台紙の水平方向からの傾斜角度は、前記第２の台紙の水平方向からの傾斜よりも小さい請求項１乃至８のいずれかに記載のメガネスタンド。
【請求項１０】
組み立てられた際に、奥行き方向の重心が、奥行き方向中心よりも後ろにある請求項１乃至９のいずれかに記載のメガネスタンド。
【請求項１１】
前記第１及び第２の台紙の各調整部は、予め定められた高さの複数の調整片を有し、任意の調整片の間を折り曲げ又は切り取って前記切欠部の高さ方向の長さを調整する請求項１乃至１０のいずれかに記載のメガネスタンド。
【請求項１２】
前記第２の台紙の前記調整部の調整片の数は、前記第１の台紙の前記調整部の調整片の数よりも多い請求項１１に記載のメガネスタンド。
【請求項１３】
前記調整片の高さは、５ｍｍである請求項１１又は１２に記載のメガネスタンド。
【請求項１４】
前記第２の台紙の前記調整部が調節可能な長さは、前記第１の台紙の前記調整部が調節可能な長さよりも長い請求項１乃至１０のいずれかに記載のメガネスタンド。
【請求項１５】
前記第１及び第２の台紙の各切欠部はそれぞれ予め定められた幅を有し、
各切欠部の幅方向内側エッジは、１１５ｍｍ〜１２５ｍｍの間隔であり、
各切欠部の幅方向外側エッジは、１４５ｍｍ〜１５５ｍｍの間隔である請求項１乃至１４のいずれかに記載のメガネスタンド。
【請求項１６】
前記第１及び第２の台紙の各切欠部はそれぞれ予め定められた幅を有し、
各切欠部の幅方向内側エッジは、１２０ｍｍの間隔であり、
各切欠部の幅方向外側エッジは、１５０ｍｍの間隔である請求項１乃至１４のいずれかに記載のメガネスタンド。
【請求項１７】
前記第１の台紙と前記第２の台紙とを接続して、メガネスタンドの組み立てた状態を維持する結合部
をさらに備える請求項１乃至１６のいずれかに記載のメガネスタンド。
【請求項１８】
請求項２乃至１７のいずれかに記載のメガネスタンドを有し、
前記図柄用紙の一部に月日が印刷されたカレンダー。
【考案の詳細な説明】
【技術分野】
【０００１】
本考案は、メガネスタンド及びメガネを保持可能なカレンダーに関する。
【背景技術】
【０００２】
顔から取り外したメガネを置いておくための構成として、メガネのツル（テンプル又はアームと言う場合もある）を折りたたんで寝かせて置くメガネケースやメガネ用トレイ、メガネのツルを折りたたんで立てて置く有底筒状のメガネホルダー、及び、鼻に相当するノーズ部を有し、メガネのツルを全開または半開にしてメガネの鼻あてパッドをノーズ部で支えるメガネスタンドなどがある。
【０００３】
実用新案登録第３１３５４３０号公報（特許文献１）には、頭部本体にメガネの鼻あて部を支持する鼻あて支持部を備えためがねスタンドが開示されている。
【０００４】
また、カレンダーとして、カレンダーが印刷された前面部と、前面部を傾斜して固定する背面部とを有する卓上カレンダーが知られている。
【先行技術文献】
【特許文献】
【０００５】
【特許文献１】実用新案登録第３１３５４３０号公報
【考案の概要】
【考案が解決しようとする課題】
【０００６】
メガネスタンドは、そのスタンドがあたかもメガネをかけているかのようにメガネを保持する。一方、メガネを置いた際にメガネを安定して保持する構造が必要である。
【０００７】
以上の点に鑑み、本考案は、メガネを置いた際にメガネを安定して保持するメガネスタンド及びカレンダーを提供することを目的とする。
【課題を解決するための手段】
【０００８】
本考案の第１の態様によると、組み立てられた状態において、奥行き方向の前方にレンズが位置するようにメガネを保持するメガネスタンドであって、（ａ）組み立てられた際に奥行き方向の前方に位置する第１の台紙と、（ｂ）組み立てられた際に奥行き方向の後方に位置する第２の台紙とを備え、（ｃ）前記第１及び第２の台紙はそれぞれ、（ｃ−１）各台紙の幅方向に離間し、高さ方向に同じ高さで配置された２つの切欠部と、（ｃ−２）前記切欠部の下方に該切欠部と連続した位置に、折り曲げることで前記切欠部の高さ方向の長さを調節する調節部とを備えるメガネスタンドが提供される。
【０００９】
本考案の第２の態様によると、上述のメガネスタンドと、第１の台紙の前面に配置される図柄要旨を有し、図柄用紙の一部に月日が印刷されたカレンダーが提供される。
【考案の効果】
【００１０】
本考案によると、メガネを置いた際にメガネを安定して保持するメガネスタンド及びカレンダーを提供することができる。
【図面の簡単な説明】
【００１１】
【図１】図１は、第１の実施の形態におけるメガネスタンドの説明図である。
【図２】図２は、第１の実施の形態におけるメガネスタンドの台紙部分等の構成を示す部分構成図である。
【図３】図３は、前面台紙の構成図である。
【図４】図４は、背面台紙の構成図である。
【図５】図５は、メガネスタンドの図柄用紙の説明図である。
【図６】図６は、メガネスタンドの図柄用紙の設置態様を示す説明図であり、メガネスタンドを左側前方からみた斜視図である。
【図７】図７は、メガネスタンドの図柄用紙の設置態様を示す説明図であり、メガネスタンドを左側後方からみた斜視図である。
【図８】図８は、第２の実施の形態におけるメガネスタンドの台紙部分等の構成を示す部分構成図である。
【図９】図９は、第２の実施の形態のメガネスタンドにおいて図柄用紙を設置した状態を示す説明図である。
【図１０】図１０は、第２の実施の形態のメガネスタンドにおいて図柄用紙の設置態様を示す説明図である。
【考案を実施するための形態】
【００１２】
以下、本考案に係るメガネスタンドの実施の形態について図面を参照して説明する。
【００１３】
（第１の実施の形態）
図１は、第１の実施の形態におけるメガネスタンドの説明図である。図１は、メガネスタンドを組み立てた状態を示し、メガネ１をメガネスタンドにかけた状態を示す。図２は、第１の実施の形態におけるメガネスタンドの台紙部分等の構成を示す部分構成図である。
【００１４】
本実施の形態のメガネスタンドは、前面台紙（第１の台紙）１０と、背面台紙（第２の台紙）２０と、結合部３０と、図柄用紙５０と、ひとつ又は複数の保持部４１とを備える。本実施の形態において図柄用紙５０を複数枚備えるものとして説明するが、１枚でもよい。メガネスタンドは、例えばメガネ１のツルを開いた状態で保持する。
【００１５】
なお、以下の説明において、幅方向とは、図２の矢印Ｗで示す方向を示し、奥行き方向とは図２の矢印Ｄで示す方向を示し、高さ方向とは図２のＨで示す方向を示す。なお、高さ方向は、組み立てられた状態の鉛直方向の他、各台紙において幅方向及び奥行き方向と直交する方向で用いる場合もある。
【００１６】
前面台紙１０は、メガネスタンドが組み立てられた際に奥行き方向の前方に位置する台紙であり、メガネが設置された場合メガネのレンズ側に位置する台紙である。背面台紙２０は、メガネスタンドが組み立てられた際に奥行き方向の後方に位置する台紙であり、メガネが設置された場合メガネのツル先端側（メガネの耳に係る部分側）に位置する台紙である。結合部３０は、前面台紙１０と背面台紙２０に接続されてメガネスタンドの形状を固定して卓上に設置可能にする。メガネスタンドの形状が固定されて卓上に設置可能な状態を、本実施の形態及び他の記載において、メガネスタンドが「組み立てられた」状態と呼ぶ。図柄用紙５０は、前面台紙１０の前面に配置される。保持部４１は、図柄用紙５０を前面台紙１０に配置して保持する部材である。例えば、保持部４１は、複数の図柄用紙５０の配置順序を変化可能に前面台紙１０に配置することができる構成を用いることができる。本実施の形態では、保持部４１として、前面台紙１０と背面台紙２０とひとつ又は複数の図柄用紙５０を貫通してこれらを綴じるリング４１を用いる。
【００１７】
メガネスタンドは、図１及び図２に示すように組み立てられた状態では、前面台紙１０の水平方向からの傾斜角度は背面台紙２０の水平方向からの傾斜角度よりも小さい。換言すると、前面台紙１０の傾斜は背面台紙２０の傾斜よりも緩やかである。また、メガネスタンドは、組み立てられた際に、奥行き方向の重心が、奥行き方向中心よりも後ろにある。一般に、メガネ１は、フレーム及びレンズが配置される前方のほうに重量がある。本実施の形態のメガネスタンドは上述の構成により、メガネが置かれた際に全体の重量バランスがとれ、メガネスタンドが安定する。また、前面台紙１０の傾斜は、図柄用紙５０が見やすいように設計でき、一方、背面台紙２０の傾斜は前面台紙１０の傾斜とは独立に設計できる。
【００１８】
図３は、前面台紙１０の構成図である。前面台紙１０は、例えば、台紙の幅方向に離間し、高さ方向に同じ又はほぼ同じ高さで配置された２つの切欠部１１と、各切欠部１１の下方に切欠部１１と連続した位置に、折り曲げることで切欠部１１の高さ方向の長さ（切欠部１１の深さ）を調節する調節部１２と、リング４１が通るリング穴１４とを有する。なお、調節部１２は、折り曲げるだけでなく切り取ることが出来るようにしてもよい。
【００１９】
切欠部１１は、メガネ１をメガネスタンドに設置する際にメガネ１のツルが通る部分である。例えば、切欠部１１は、長方形の台紙の一部が欠如した構成である。図３の例では、メガネのツルが、高さ方向上方から切欠部１１を通って調節部１２で支持される。なお、２つの切欠部１１は、一例として図３に示すように前面台紙１０の幅方向中央に対して左右対称に配置されるが、これに限定するものではない。
【００２０】
調節部１２は例えばｎ個の調整片１２−１〜ｎ（ｎは２以上の自然数）を有し、各調節片の間で折り曲げることができる。換言すると、調節部１２は、任意の調整片の間を折り曲げてｎ段階で切欠部１１の深さ、すなわちメガネ１の高さ方向の位置を調整することができる。各調節片の高さは例えば５ｍｍである。各調節片と前面台紙１０との間は、例えばミシン目等の折り曲げ線１３が設けられ、所望の調節片を折り曲げ線１３に沿って切り取って折り曲げることができる。また、折り曲げた調節片を元に戻して、切り取り線部分に引っ掛けることにより、切欠部１１の深さを浅くすることもできる。例えば、台紙の厚さとして５３０ｋｇとすれば紙が厚いため折り曲げた調節片を元に戻しても安定する。このように、予め高さが定められた複数の調節片を有することにより、２つの調節部１２を同じ高さに調節することが容易であり、メガネ１のフレームの左右の高さを同じにしやすくなる。また、折り曲げ線１３は切り取り線であってもよく、切り取り線とした場合は、所望の調節片を切り取ることで、切欠部１１の深さを深くする。
【００２１】
メガネ１のツルは、フレームのデザインによって取付位置が異なり、また、ツルの太さも違う。本実施の形態のメガネスタンドは、取り付けるメガネ１に応じて調節片１２−１〜ｎの折り曲げる数を変えることができ、メガネ１を図柄用紙５０の顔にフィットさせることができる。
【００２２】
リング穴１４は、図示の例では４つ設けられているが、リング穴１４の数はリング４１の数に応じて適宜の数を設けることができる。
【００２３】
図４は、背面台紙の構成図である。背面台紙２０は、例えば、メガネの各ツルが通る２つの切欠部２１と、切欠部２１の下方に切欠部２１と連続した位置に、折り曲げることで切欠部２１の高さ方向の長さを調節する調節部２２と、リング４１が通るリング穴２４とを有する。各部の構成については前面台紙１０とほぼ同様であり、前面台紙１０と異なる点を以下に示し、同様な点は重複する説明を省略する。
【００２４】
調節部２２は、ｍ個の調整片２２−１〜ｍ（ｍは２以上の自然数）を有し、各調節片の間で折り曲げることができる。ここで、背面台紙２０の調節部２２における調節片の数ｍは、前面台紙１０の調節部１２における調節片の数ｎよりも多くすることができる。このような構成により、前面台紙１０での調節部１２を最も低く（切欠部１１の深さを最も深く）した場合であっても、背面台紙２０での調整部２２の高さを前面台紙１０での調節部１２の高さに対してさらに低くすることができる。このような構成により、メガネ１のツルの先端が斜め下を向くように傾斜した状態でメガネ１を保持することができ、メガネを安定して保持できる。
【００２５】
図５は、メガネスタンドの図柄用紙５０の説明図である。図柄用紙５０は、人物、動物、キャラクターなどの目５１を含む顔が印刷される。また、顔以外に、髪、からだ、これらに装着される装飾物などがさらに印刷されてもよい。図柄用紙５０は、前面台紙１０の切欠部１１と対応する位置に切欠部（第２の切欠部）５３を有する。なお、図柄用紙５０の切欠部５２の深さ（高さ方向の長さ）は前面台紙１０の切欠部１１の深さよりも深く、調整部１２の調整片が全て折り曲げられた場合にもメガネ１のツルが調節部１２と接触することができる。
【００２６】
図柄用紙５０には、前面台紙１０の左右の各調整部１２の間に目５１が配置される。例えば各調整部１２と目５１はほぼ同じ高さにある。このような配置により、メガネ１をメガネスタンドにかけた際に、あたかも印刷された顔にメガネ１をかけたかのようにメガネ１がメガネスタンドにフィットする。
【００２７】
切欠部５２は面積が大きいと顔の欠落部分が大きくなるため、切欠部５２はできるだけ小さいことが好ましい。一方、切欠部５２が小さいと、特に切欠部５２の幅が狭いと、メガネ１がかけづらくなったり、かけられるメガネが限られるというトレードオフが存在する。本実施の形態における各切欠部５２の幅は、例えば１０〜２０ｍｍ、好ましくは１５ｍｍとすることができる。また、２つの切欠部の幅方向内側エッジ（台紙の有無の境界）の間隔を例えば１１５〜１２５ｍｍ、好ましくは１２０ｍｍとし、２つの切欠部の幅方向外側エッジの間隔を例えば１４５〜１５５ｍｍ、好ましくは１５０ｍｍとすることができる。このような構成により、上述のトレードオフを解消し、メガネ１がかけやすく、かつ、印刷された顔を認識しやすくすることができる。なお、前面台紙１０の切欠部１１及び背面台紙２０の切欠部２１についても同様の寸法とすることができる。
【００２８】
また、図柄用紙５０は、各切欠部５２の幅方向外側の領域５２にも顔、髪、からだ又は装飾品が印刷されてもよい。このような領域にも印刷されることで、図柄用紙５０を見たユーザは、切欠部５２にも相応の図柄があるものとして図柄を補間して認識することができ、切欠部５２による顔の欠落部分を補うことができる。
【００２９】
図６は、メガネスタンドの図柄用紙の設置態様を示す説明図であり、メガネスタンドを左側前方からみた斜視図である。図７は、メガネスタンドの図柄用紙の設置態様を示す説明図であり、メガネスタンドを左側後方からみた斜視図である。
【００３０】
本実施の形態のメガネスタンドは、リング４１により前面台紙１０、背面台紙２０及び図柄用紙５０が綴じられている。リングを回転軸として図柄用紙５０をめくることで、複数の図柄用紙５０は最前面にくる用紙を所望の用紙に変えることができる。各図柄用紙５０には異なる図柄を印刷することができる。各図柄の目５１の位置は上述の通りであり、各用紙５０で目５１の位置は対応する位置にある。
【００３１】
（第２の実施の形態）
図８は、第２の実施の形態におけるメガネスタンドの台紙部分等の構成を示す部分構成図である。上述の第１の実施の形態では保持部がリング４１で構成されるのに対し、本実施の形態におけるメガネスタンドは、保持部がストッパ４２で構成される。他の構成は第１の実施の形態と同様である。
【００３２】
ストッパ４２は、例えば前面台紙１０の下部前方に配置され、複数の図柄用紙５０の下辺を支えるストッパである。図示の例では、ストッパ４２は図柄用紙５０の底辺を支えるが、図柄用紙５０の形状によっては複数のストッパ４２がそれぞれ図柄用紙５０の異なる辺を支えて図柄用紙５０を保持してもよい。ストッパ４２は、図示のように前面台紙１０の一部を折り曲げて構成することができる。なお、ストッパ４２は前面台紙１０とは別に取り付けられてもよい。
【００３３】
図９は、第２の実施の形態のメガネスタンドにおいて図柄用紙を設置した状態を示す説明図である。図１０は、第２の実施の形態のメガネスタンドにおいて複数の図柄用紙の設置態様を示す説明図である。第２の実施の形態において、複数の図柄用紙５０のうち所望の図柄用紙５０が最前面にくるように用紙を差し替えることができる。
【００３４】
（変形例）
上述の各実施の形態は、メガネスタンドとして説明したが、メガネを設置可能な卓上カレンダーとして構成することもできる。この場合、各図柄用紙の一部（一例として用紙の下部）にカレンダーが印刷される。
【００３５】
なお、上述の各実施の形態において、切欠部１１、２１及び５３は、メガネスタンドが組み立てられた使用状態において台紙等がない部分であるが、組み立てる前は台紙等があってもよい。例えば、切り取り線を設けて組み立て時に切り取ってもよく、このような場合においても切り取る部分が上述の各切欠部に相当する。
【００３６】
また、図柄用紙は、前面台紙１０及び背面台紙２０を含むメガネスタンドとは別にユーザに提供されてもよい。
【産業上の利用可能性】
【００３７】
本考案は、メガネスタンド及びカレンダーとして利用可能である。
【符号の説明】
【００３８】
１０  前面台紙
２０  背面台紙
３０  結合部
４１  リング
４２  ストッパ
５０  図柄用紙
１１、２１、５３  切欠部
１２、２２  調節部
１４、２４  リング穴
５１  目
【図１】
0003197669.tif 000003
【図２】
0003197669.tif 000004
【図３】
0003197669.tif 000005
【図４】
0003197669.tif 000006
【図５】
0003197669.tif 000007
【図６】
0003197669.tif 000008
【図７】
0003197669.tif 000009
【図８】
0003197669.tif 000010
【図９】
0003197669.tif 000011
【図１０】
0003197669.tif 000012